(57)【要約】【課題】  透明基材を含むスピーカー振動板と、これに紫外光を照射する紫外光発光手段と、を備えるスピーカーに関し、紫外光発光手段から紫外光が照射されていないときに発光層が明確に視認されず、紫外光による発光意匠のオンオフ差を際立たせて、意匠性に優れたスピーカーを提供する。【解決手段】スピーカー振動板の透明基材の前面又は背面の少なくともいずれか一方の面に平均粒子径が１μｍ以下の蛍光顔料を含む発光層が形成されるとともに、発光層に紫外光を照射する紫外光発光手段が設けられる。紫外光発光手段が発光層に紫外光を照射する場合に、発光層が可視光を発光し、その可視光がスピーカー振動板の前面側に前面側から視認され、紫外光発光手段が紫外光を照射しない場合に、発光層が透視される。【選択図】  図５
2010057092.tif 000002
【特許請求の範囲】
【請求項１】
聴取者側である前面とその反対側の背面とを有する透明基材を含むスピーカー振動板と、
該スピーカー振動板に紫外光を照射する紫外光発光手段と、を備えるスピーカーであって、
該スピーカー振動板の該透明基材の前面または背面の少なくともいずれか一方の面に平均粒子径が１μｍ以下の蛍光顔料を含む発光層が形成されるとともに、
該紫外光発光手段が該発光層に紫外光を照射する場合に、該発光層が可視光を発光して該可視光が該スピーカー振動板の前面側から視認され、該紫外光発光手段が紫外光を照射しない場合に、該発光層が透視される、スピーカー。
【請求項２】
前記発光層が前記透明基材の背面に形成され、
前記紫外光発光手段が、該発光層に前記スピーカー振動板の背面側から紫外光を照射するように配置されるとともに、
該発光層が発光する可視光が、該透明基材を透過して該スピーカー振動板の前面側から視認される、請求項１に記載のスピーカー。
【請求項３】
前記スピーカー振動板の前記透明基材が、並ガラス、または、耐熱ガラスから形成される、請求項１または２に記載のスピーカー。
【請求項４】
請求項１から３のいずれかに記載の前記スピーカー振動板と、前記紫外光発光手段と、該スピーカー振動板の外周縁部に固着されるエッジと、該スピーカー振動板の略中央に取り付けられるボイスコイルボビンと、該ボイスコイルボビンに巻回されるコイルと、該コイルを配置する磁気空隙を有する磁気回路と、該ボイスコイルボビンに固着されるダンパーと、該エッジ、該ダンバー、ならびに、該磁気回路に連結するフレームと、を備え、
該紫外光発光手段が、ブラックライトランプ、または、紫外発光ダイオードを含む、スピーカー。
【発明の詳細な説明】
【技術分野】
【０００１】
本発明は、透明基材を含むスピーカー振動板と、これに紫外光を照射する紫外光発光手段と、を備えるスピーカーに関する。
【背景技術】
【０００２】
音声信号を電力増幅する増幅回路にスピーカーが接続されたスピーカーシステムにおいて、音声信号の振幅の大小に対応して発光量が変化する照明装置を備えることにより、音声再生時に聴覚刺激に加えて視覚刺激を聴取者に与え、より大きな演出効果を与えようとするものがある。例えば、スピーカーのボイスコイルに印加される増幅回路の出力信号電圧（もしくは電流）に応じて発光量を変化させるために、増幅回路の出力に直接に接続する、つまり、スピーカーのボイスコイルに対して直接に接続するスピーカー照明装置があり、可視光を聴取者に直接視できるように発光するものの他に、可視光あるいはブラックライト等による紫外光をスピーカー振動板に照射して、反射光または透過光を聴取者に与えるようにするものがある。
【０００３】
従来には、スピーカーの近傍に発光素子を設けた照光式スピーカーにおいて、スピーカーの透明材センターキャップ背面部に設けた発光素子と、スピーカーのボイスコイルボビンに形成した第２のコイルと、この第２のコイルに対向して設けた第２のマグネットを備えて、上記発光素子がスピーカー駆動用電力で発光するように構成したことを特徴とする照光式スピーカーがある（特許文献１）。発光素子は、スピーカーの透明材コーン紙背面部に設けてもよく、また、これに代えてスピーカーのセンターキャップをＥＬ素子で構成してもよい、としている。また、従来には、スピーカーを形成する振動板およびまたはセンターキャップの表面に蛍光発光体層を形成し、その表面に半透光被膜を積層し、スピーカーの周辺にＢＬランプを配設したことを特徴とするスピーカーがある（特許文献２）。この場合には、さらにスピーカーを透光性樹脂材で形成し、その背面側の表面に蛍光発光体層およびその上に半透光膜を積層し、スピーカーの後方にブラックライトランプを配設して、スピーカーの後方から紫外線を照射することによりスピーカーを透してその前側から蛍光発光体の発光状態が見えるようにすることもできる。
【０００４】
また、従来には、基体と、基体の放射側に配置された表面材と、表面材の放射面に設けられ、平均粒子径が１μｍ以下の蛍光顔料を含む発光層とを有するスピーカー振動板（特許文献３）、あるいは、第１の外層と、所定の形状の打ち抜き部を有する中間層と、第２の外層とを有し、第１の外層、中間層および第２の外層が熱硬化性樹脂で含浸されてなり、第１の外層および第２の外層の少なくとも一方が、蛍光顔料を含むスピーカー用部材（特許文献４）を備えるスピーカーがある。蛍光顔料の平均粒子径がこのような範囲であることにより、光源から光が照射されていないときに蛍光が明確に視認されにくく、その結果、オンオフ差を際立たせて、かつ、発光性、並びに、意匠性に優れたスピーカー用部材およびスピーカーを得ることができる。
【０００５】
なお、従来のスピーカー照明装置には、増幅回路の直流電源端子に接続する直流入力端子と、正および負の音声入力端子の間に直列に接続する定電流制限手段ならびにスイッチ手段と、直流入力端子とスイッチ手段との間に直列に接続する発光手段と、を備え、スイッチ手段が、定電流制限手段に接続する一次側と発光手段に接続する二次側とが電気的に絶縁されているスイッチ素子を含むものがある（特許文献５）。このスピーカー照明装置は、再生音の忠実性を損なうことなく小入力から大入力の広い範囲でＬＥＤの発光量を適切に設定でき、また、大入力時にもＬＥＤもしくは抵抗器が破壊されることがなく、音声信号に対応して聴取者により大きな演出効果を与えることができる。
【０００６】
【特許文献１】実開平３−５３１００号公報  （第１図〜第３図）
【特許文献２】特開平１０−２８５６７９号公報  （第１図〜第３図）
【特許文献３】特開２００７−３１８６１０号公報  （第１図〜第７図）
【特許文献４】特開２００７−３１８６１１号公報  （第１図〜第３図）
【特許文献５】特開２００７−３１８２４３号公報  （第１図〜第３図）
【０００７】
しかしながら、従来の照明装置を備えるスピーカーにおいては、透明材によりスピーカー振動板を形成しても、例えば、特許文献２の場合には半透光膜を要する、等によって、スピーカー振動板が光源から光が照射されていないときに、光が透過する部分の意匠、あるいは、蛍光顔料が発光する部分の意匠が視認されてしまう場合があり、光源から光を照射するときのオンオフ差を際立たせにくい、という問題がある。
【発明の開示】
【発明が解決しようとする課題】
【０００８】
本発明は、上記の従来技術が有する問題を解決するためになされたものであり、その目的は、透明基材を含むスピーカー振動板と、これに紫外光を照射する紫外光発光手段と、を備えるスピーカーに関し、光源から光が照射されていないときに発光層が明確に視認されず、紫外光による発光意匠のオンオフ差を際立たせて、意匠性に優れたスピーカーを提供することにある。
【課題を解決するための手段】
【０００９】
本発明のスピーカーは、透明基材を含むスピーカー振動板と、スピーカー振動板に紫外光を照射する紫外光発光手段と、を備えるスピーカーであって、スピーカー振動板の透明基材の前面又は背面の少なくともいずれか一方の面に平均粒子径が１μｍ以下の蛍光顔料を含む発光層が形成される。紫外光発光手段が発光層に紫外光を照射する場合に、発光層が可視光を発光し、当該可視光がスピーカー振動板の前面側から視認され、紫外光発光手段から紫外光が照射されないときには発光層が透視される。
【００１０】
また、好ましくは、本発明のスピーカーは、発光層が透明基材の背面に形成され、紫外光発光手段が、スピーカー振動板の背面側から発光層に紫外光を照射するように配置されるとともに、紫外光発光手段が発光層に紫外光を照射する場合に、発光層が可視光を発光し、この可視光が透明基材を透過してスピーカー振動板の前面側から視認される。
【００１１】
さらに好ましくは、本発明のスピーカーは、スピーカー振動板の透明基材が、並ガラス、または、耐熱ガラスから形成される。
【００１２】
また、好ましくは、本発明のスピーカーは、上記のスピーカー振動板と、紫外光発光手段と、スピーカー振動板の外周縁部に固着されるエッジと、スピーカー振動板の略中央に取り付けられるボイスコイルボビンと、ボイスコイルボビンに巻回されるコイルと、コイルを配置する磁気空隙を有する磁気回路と、ボイスコイルボビンに固着されるダンパーと、エッジ、ダンバー、ならびに、磁気回路に連結するフレームと、を備え、紫外光発光手段が、ブラックライトランプ、または、紫外発光ダイオードを含む。
【００１３】
以下、本発明の作用について説明する。
【００１４】
本発明のスピーカーは、透明基材を含むスピーカー振動板と、スピーカー振動板に紫外光を照射する紫外光発光手段と、を備えるスピーカーである。スピーカー振動板は、聴取者側の前面とその反対側の背面とを有する。透明基材は、好ましくは、並ガラス、または、耐熱ガラスである。本発明のスピーカー振動板では、透明基材の前面またはは背面の少なくともいずれか一方の面に平均粒子径が１μｍ以下の蛍光顔料を含む発光層が形成される。
【００１５】
また、本発明のスピーカーは、ボイスコイル、磁気回路を含む動電型スピーカーであればよく、紫外光発光手段は、紫外光を照射するブラックライトランプ、または、紫外発光ダイオードを含むものであればよい。スピーカーは、紫外光発光手段が発光層に紫外光を照射する場合に、発光層が可視光を発光し、この可視光が透明なスピーカー振動板を透過してスピーカー振動板の前面側から視認され、その結果、蛍光顔料を含む発光層によってデザインされた意匠（文字、図形、模様、ないし、ロゴ、等を含む。）が、透明なスピーカー振動板上に可視化される。したがって、例えば、紫外光発光手段が、音声信号の振幅の大小に対応して発光量が変化するようにすれば、本発明のスピーカーは、音声再生時に聴覚刺激に加えて視覚刺激を聴取者に与え、より大きな演出効果を与えることができる。
【００１６】
一方で、例えば、スピーカー振動板が耐熱ガラスで形成されている場合には、耐熱ガラスのスピーカー振動板は、紫外光発光手段が紫外光を照射しない際は、平均粒子径が１μｍ以下の蛍光顔料を含む発光層が透視されて、スピーカー振動板の背面側（つまり、ボイスコイル、磁気回路、等のスピーカーの構成部品。）が前面側から視認される。耐熱ガラスで構成されたスピーカー振動板は、その背面側が透視できる点で十分に視覚的なインパクトを有するのに対し、それに加えて、紫外光発光手段によって紫外光を照射すると、透明なスピーカー振動板の前面側に発光意匠が出現することになり、発光意匠のオンオフ差を際立たせることができる。
【００１７】
特に、スピーカー振動板が並ガラス、または、耐熱ガラスで形成され、発光層が透明基材の背面に形成される場合には、前面側の聴取者には、紫外光発光手段が紫外光を照射しなければ、発光層がほとんど透視される。これは、発光層に含まれる蛍光顔料の平均粒子径が１μｍ以下であることに加え、発光層が透明基材の前面に露出せず、また、聴取者との間を透明なガラスが遮るからである。したがって、紫外光発光手段を、スピーカー振動板の背面側から紫外光を照射するように配置した本発明のスピーカーでは、紫外光を発光層に照射すると、発光層が可視光を発光し、この可視光が透明基材を透過してスピーカー振動板の前面側から視認され、透明なガラスの振動板上に発光層による発光意匠が出現し、紫外光の照射を停止すれば、再び背面側が透視される透明なスピーカー振動板として前面側から認識される。このように、発光意匠のオンオフ差が従来よりも著しく大きくなるので、演出効果に優れたスピーカーを実現することができる。
【００１８】
なお、本発明のスピーカーに用いる紫外光発光手段は、例えば、上記特許文献５のスピーカー照明装置であって、紫外光を照射するブラックライトランプ、または、紫外発光ダイオードを含むものを用いてもよい。増幅回路からスピーカーのボイスコイルに出力される音声信号に対応して発光手段を発光させると、透明なガラスの振動板上に発光層による発光意匠が出現し、また、スピーカー振動板の前後の動作に連動して発光手段が発光するので、聴取者に視覚的な刺激を与え、より大きな演出効果を与えることができる。また、スピーカーのボイスコイル両端に印可される音声信号電圧に対して、ある程度低い電圧から音声信号の大小に追従した照明効果を得ることができ、かつ、照明の光量にある種のリミッタを設定することができるので、スピーカーのボイスコイル両端に印可される正および負の音声信号電圧に対して、スイッチ素子を保護する保護ダイオードを設ける場合にも、音声信号の極性にかかわらず音声信号の振幅の大小に追従した照明効果を得ることができる。
【発明の効果】
【００１９】
本発明のスピーカーは、光源から光が照射されていないときに発光層が明確に視認されにくく、紫外光による発光意匠のオンオフ差を際立たせて、意匠性に優れ、聴取者により大きな演出効果を与えることができる。
【発明を実施するための最良の形態】
【００２０】
本発明のスピーカーは、透明基材を含むスピーカー振動板と、スピーカー振動板に紫外光を照射する紫外光発光手段と、を備えるスピーカーである。スピーカー振動板は、聴取者側の前面とその反対側の背面とを有する。スピーカー振動板の透明基材の前面又は背面の少なくともいずれか一方の面に平均粒子径が１μｍ以下の蛍光顔料を含む発光層が形成される。紫外光発光手段が発光層に紫外光を照射する場合に、発光層が可視光を発光して、この可視光がスピーカー振動板の前面側から視認され、紫外光発光手段が紫外光を照射しない場合に、発光層が透視されてスピーカー振動板の背面側が前面側から視認される。
【００２１】
以下、本発明の好ましい実施形態によるスピーカーについて説明するが、本発明はこれらの実施形態には限定されない。
【実施例１】
【００２２】
図１は、本発明の好ましい実施形態によるスピーカー１の概略断面図である。スピーカー１は、スピーカー振動板５と、スピーカー振動板５に接着されるボイスコイルボビン２と、ボイスコイルボビン２の下端部に巻回されたボイスコイル３とを有する。ボイスコイル３は、磁気回路４の磁気空隙に配され、入力される音声信号に応じて発生する駆動力で振動し、磁気空隙内を変位することによりスピーカー振動板５を駆動する。スピーカー振動板５ならびにボイスコイルボビン２が形成する振動系は、エッジ６およびダンパー７により、図示するＺ方向に振動可能に支持されている。エッジ６およびダンパー７の外周側は、磁気回路４に連結するフレーム８に固定されている。スピーカー振動板５が振動すると、空気に疎密波としての音波を生じて、その結果、スピーカー１から音声が再生される。
【００２３】
本実施例の磁気回路４は、ポール、プレート、マグネットを備える外磁型の磁気回路であって、キャンセルマグネットと、磁気回路を覆うカバー９と、を備えている。また、ボイスコイル３には、（図示しない）ターミナル、ならびに、（図示しない）錦糸線Ｋを介して、音声信号が供給される。スピーカー振動板５は略球殻状で、凹面５ａ側が前面であり、凸面５ｂ側が背面である。その背面側に、ボイスコイルボビン２と、ボイスコイル３と、磁気回路４と、ダンパー７と、錦糸線Ｋとが、配置される。磁気回路４は、他の内磁型磁気回路、もしくは、反発磁気回路、等であっても良い。
【００２４】
本実施例のスピーカー１には、紫外光を照射するＬＥＤ１２を含むスピーカー照明装置１０が取り付けられている。具体的には、スピーカー照明装置１０は、磁気回路４を構成するポールの貫通孔に嵌合する取付部材１１と、取付部材１１に取り付けられるＬＥＤ１２と、ＬＥＤ１２に電力を供給する信号線１３と、を含む。したがって、スピーカー照明装置１０は、スピーカー振動板５の背面側から紫外光を照射するように配置されている。
【００２５】
図２は、本実施例のスピーカー１を、前面斜めから見た斜視図である。後述するように、スピーカー振動板５は、透明な耐熱ガラスを基材とするスピーカー振動板である。したがって、スピーカー１では、図２に示すように、スピーカー振動板５の背面側に位置するボイスコイルボビン２と、ボイスコイル３と、磁気回路４のセンターポールと、ダンパー７と、錦糸線Ｋとが、スピーカー振動板５越しに前面側から透視される。本実施例のスピーカー１は、口径が約１０ｃｍの動電型スピーカーである。
【００２６】
なお、本実施例のスピーカー１は、同形状の略球殻状のスピーカー振動板を有する（図示しない）比較例のスピーカーについて、その（図示しない）スピーカー振動板を、透明な耐熱ガラスのスピーカー振動板５に置換したスピーカーである。例えば、比較例のスピーカー振動板は、基材に熱硬化性樹脂が含浸されていて、基材は、天然繊維織布層と天然繊維不織布層とを含む積層体であり、熱硬化性樹脂は、不飽和ポリエステル等の任意の適切な熱硬化性樹脂が採用され得るものである。つまり、本実施例のスピーカー１は、透明な耐熱ガラスのスピーカー振動板５以外の構成部品は、従来の動電型スピーカーの構成部品を共通して利用することができるものである。
【００２７】
スピーカー振動板５は、大きな半径の球殻の一部として規定される前面視略円形の透明振動板部５ｓを有しており、透明振動板部５ｓは、前面側の凹面５ａと、これに対応する背面側の凸面５ｂと、その外径を規定する外周縁部５ｃと、を含んでいる。本実施例のスピーカー振動板５では、中心点Ｏから外周縁部５ｃまでの半径ｒｃが約３９．５ｍｍであり、透明振動板部５ｓの全高ｈｃが約２１．６ｍｍである。スピーカー振動板５の透明振動板部５ｓは、透明な耐熱ガラスを基材としているので、本実施例の透明振動板部５ｓの厚みは、その全体に渡って約０．４５ｍｍ〜約０．６０ｍｍの範囲でほぼ均一に薄く形成される。なお、本実施例のスピーカー振動板５の重量は、約１１．５ｇである。
【００２８】
スピーカー振動板５は、耐熱ガラスを基材とするスピーカー振動板であり、少なくとも珪砂、硼砂、硼酸、アルミナ、および、食塩を原料として形成される。耐熱ガラスは、珪砂、石灰、ソーダ灰などを主な原料とするソーダ石灰ガラス（並ガラス）と比較して熱による膨張が少ないため、急激な温度変化に強いという特性と、ソーダ石灰ガラスやクリスタルガラスなどと比べて比重が小さいという特性を有している。そして耐熱ガラスは成形時の粘性が高く、ブロー成形により略球殻状のスピーカー振動板の形状に薄く加工することが可能で、外周縁部５ｃの位置で切断する工程においても優位である。また、耐熱ガラスは、薄くできることで、スピーカー振動板５の全体重量をさらに軽くすることができるので、従来のソーダ石灰ガラスに比較して、スピーカー振動板として用いるのに適している。
【００２９】
透明なスピーカー振動板５の背面側の凸面５ｂの中央付近には、その表面に平均粒子径が１μｍ以下の蛍光顔料を含む発光層５ｘが形成されている。発光層５ｘは、蛍光顔料の平均粒子径が１μｍ以下と非常に小さいので、ＬＥＤ１２が紫外光を照射しない場合には、透視される。一方で、ＬＥＤ１２が紫外光を照射する場合には、発光層５ｘは可視光を発光し、これが透明なスピーカー振動板５の前面側に視認される。発光層５ｘを形成する蛍光顔料の平均粒子径は、１μｍ以下であり、さらに好ましくは０．０１〜０．８μｍであり、特に好ましくは０．０５〜０．５μｍである。平均粒子径がこのような範囲であることにより、ＬＥＤ１２が紫外光を照射していないとき、すなわち、発光層５ｘが発光していないとき、発光層５ｘの存在が明確に視認されない。その結果、オンオフ差を際立たせることができる。さらに、発光層５ｘの表面に半透光被膜を設けなくてもオンオフ差を際立たせられるので、発光層５ｘの発光度合いが弱められず発光性に優れる。
【００３０】
上記有機系蛍光顔料としては、例えば、蛍光染料を含む樹脂粒子があげられる。蛍光染料としては、任意の適切な蛍光染料を採用できる。具体例として、塩基性染料、酸性染料、分散染料、油溶性染料、蛍光増白染料等が挙げられる。樹脂粒子を形成する樹脂としては、任意の適切な樹脂が採用できる。具体例として、アクリル系樹脂、メラミン系樹脂、ウレタン系樹脂、ポリエステル系樹脂等があげられる。また、発光層５ｘの形成方法としては、任意の適切な方法が採用される。具体例としては、スピーカー振動板５のいずれかの振動板面に、蛍光顔料を含む分散体を所望の文字、模様が得られるように塗布する方法がある。分散体は、用いる蛍光顔料に応じて、任意の適切な分散溶媒を含み、分散溶媒としては、水、アルコール等の有機溶媒等があげられる。スピーカー振動板５に発光層５ｘを形成するために、この分散体をする塗布方法として、任意の適切な方法が採用され得る。具体例としては、スクリーン印刷、シルクスクリーン印刷、転写印刷、パッド印刷、等があげられる。
【００３１】
図３は、本発明の好ましい実施形態によるスピーカーシステム２０について説明する図である。例えば、スピーカーシステム２０は、ヘッドユニット２１、アンプ２２、バッテリー２３、および、照明駆動部２４と、キャビネット２５に取り付けたスピーカー１とを接続して音響再生システムを構成する。照明駆動部２４には、バッテリー２３から直流電圧＋Ｖｃｃが供給されている。バッテリー２３の直流電圧＋Ｖｃｃは正の直流電圧であり、車載用を想定する場合には、電圧＋１２Ｖもしくは＋２４Ｖが多用される。なお、本実施例では、音声信号のチャンネルが一つのみ、つまり、モノラル信号の場合が図示されているが、左右信号を含むステレオ信号の場合には、音声信号チャンネル数に応じた再生チャンネルを設けてもよい。また、再生帯域が低音成分であって、スピーカーシステム２０がアンプ内蔵サブウーファーである場合には、ステレオ信号を混合してモノラル信号としてもよい。
【００３２】
ヘッドユニット２１から出力される音声信号は、アンプ２２の入力端子に入力されて増幅され、正および負の音声出力端子（＋、−）からスピーカー１の入力端子に入力されるとともに、照明駆動部２４にも分岐して入力される。照明駆動部２４の出力は、前述の信号線１３が接続する端子１４を介してスピーカー１のスピーカー照明装置１０に供給される。つまり、スピーカー照明装置１０は、アンプ２２の音声出力端子にスピーカー１に対して並列に接続され、スピーカー１が音声信号を電気音響変換してスピーカー振動板５を振動させて音声再生する一方で、音声信号に基づいてスピーカー１に取り付けられたＬＥＤ１２から紫外光を照射する。なお、スピーカー１が取り付けられるキャビネット２５は、スピーカー振動板５の前後の空間を分離して、低音再生に必要な音響容量を規定するとともに、アンプ２２、バッテリー２３、および、照明駆動部２４を内包しても良い。
【００３３】
図４は、照明駆動部２４の実施例を説明する図である。前述の通り、照明駆動部２４は、アンプ２２の出力から見て、スピーカー１に対して並列に接続されている。すなわち、アンプ２２の正および負の音声出力端子（＋、−）から増幅して出力された音声信号は、スピーカー１に入力される一方で、照明駆動部２４の正および負の音声入力端子にも入力される。照明駆動部２４の音声入力端子の間には、定電流ダイオード１５と、ＬＥＤ１２に接続する二次側と電気的に絶縁されているフォトカプラ１６の一次側ＬＥＤ１６ａと、保護ダイオード１７と、が直列に接続する。また、フォトカプラ１６の二次側トランジスタ１６ｂは、エミッタ側が接地されるとともに、コレクタ側がＬＥＤ１２に接続する。ＬＥＤ１２には、抵抗１９を介してバッテリー２３の直流電圧＋Ｖｃｃが供給される。
【００３４】
照明駆動部２４において、音声信号の電圧（Ａ）が正弦波である場合に、スピーカー１のボイスコイルに流れる電流（Ｂ）と、スピーカー照明装置１０における電流（Ｃ）、（Ｄ）を説明する。ダイオードにおいて、正から負の方向に電流を流す場合に加わる正の電圧を順方向電圧とし、その逆の負の電圧を逆方向電圧とすると、定電流ダイオード１５は、順方向電圧が一定値以上になると一方向に電流を流し始め、さらに電圧が増加すると、ある値以上では流れる電流を定電流に制限する。照明駆動部２４では、定電流ダイオード１５とフォトカプラ１６の一次側ＬＥＤ１６ａとが直列に接続しているので、スピーカー１に入力される音声信号（電圧（Ａ））の順方向電圧（つまり正の電圧）が、定電流ダイオード１５の動作開始電圧とフォトカプラ１６の一次側ＬＥＤ１６ａの動作開始電圧との和を超えた時点で、フォトカプラ１６の二次側トランジスタ１６ｂのコレクタ−エミッタ間を電流が流れ始め（電流（Ｃ））、つまり、フォトカプラ１６がオン状態になる。ＬＥＤ１２には、抵抗１９を介してバッテリー２３の直流電圧＋Ｖｃｃが供給されているので、直流電流がＬＥＤ１２に流れ（電流（Ｄ））、その結果、ＬＥＤ１２が紫外光を発光する。フォトカプラ１６を用いた場合、直流信号でもスイッチ動作が可能なので、変圧器もしくは結合コイルを用いた従来回路で問題となる極めて低い周波数の音声信号入力に対しても、音声信号に連動した照明効果を得ることができる。
【００３５】
本実施例の照明駆動部２４およびスピーカー照明装置１０は、スピーカー１に入力される音声信号の振幅の大小に応じてＬＥＤ１２を発光させ、聴取者に視覚的な刺激を与え、より大きな演出効果を与えることができる。ＬＥＤ１２に流れる直流電流（Ｄ）を決定する抵抗１９を調整することで、スピーカー１に入力される音声信号の電圧がある程度低い電圧から音声信号電圧に追従し、音声信号のダイナミックレンジが考慮された照明効果を得ることができる。
【００３６】
図５は、本実施例のスピーカー１において、スピーカー照明装置１０のＬＥＤ１２がスピーカー振動板5に紫外光を照射する場合に、透明なスピーカー振動板５を介して前面から視認される発光意匠を説明する図である。図５（ａ），（ｂ）は、ともにスピーカー１を前面斜め上方側からみた斜視図であって、図５（ａ）は、ＬＥＤ１２がスピーカー振動板5に紫外光を照射して、その結果、発光層５ｘが可視光を発光している場合であり、図５（ｂ）は、ＬＥＤ１２がスピーカー振動板5に紫外光を照射しておらず、発光層５ｘが透視されている場合である。
【００３７】
例えば、本実施例の場合には、蛍光顔料分散体Ａ（シンロイヒ株式会社製、ＳＦ−５０００、蛍光顔料の平均粒子径：０．１μｍ、蛍光顔料の励起波長：１４０〜４００ｎｍ、蛍光顔料の見掛密度：０．５〜３．５ｇ／ｃｍ３）を用いて、耐熱ガラスを基材とする透明なスピーカー振動板５の背面側の凸面５ｂの中央付近に、スクリーン印刷により、例えば「ＯＮＫＹＯ」の文字列（ロゴ）のような所望の形状を有する発光層５ｘを形成した。前面側が凹面５ａである透明なスピーカー振動板５において、図５（ｂ）に示すようにＬＥＤ１２が発光層５ｘに紫外光を照射していないときは、ロゴを視認することができない。一方で、図５（ａ）に示すようにＬＥＤ１２が発光層５ｘに紫外光を照射するときは、円筒形状のボイスコイルボビン２の内側に発光層５ｘで形成したロゴを出現させることができる。
【００３８】
すなわち、本実施例のスピーカー１では、スピーカー照明装置１０のＬＥＤ１２が発光層５ｘに紫外光を照射すると、スピーカー振動板５の背面側に形成された発光層５ｘが可視光を発光し、その可視光が、透明な耐熱ガラスを基材とするスピーカー振動板５を透過して、スピーカー振動板５の前面側から視認され、その結果、発光層５ｘで形成したロゴによる発光意匠が出現する。また、ＬＥＤ１２からの紫外光の照射を停止すれば、再び背面側が透視される透明なスピーカー振動板５を備えるスピーカー１として前面側から認識される。このように、発光意匠のオンオフ差が従来よりも著しく大きくなるので、演出効果に優れたスピーカーを実現することができる。
【００３９】
本実施例のスピーカー１では、発光層５ｘをスピーカー振動板５の背面側に形成しているので、ＬＥＤ１２からの紫外光を照射していないときは、平均粒子径の小さな蛍光顔料からなる発光層５ｘは、その存在がほとんど視認できない。発光層５ｘをスピーカー振動板５の背面側の凸面５ｂ面に形成しているので、前面側の凹面５ａに、発光層の厚みによる起伏が生じる、あるいは、凹面５ａでの反射の具合が変わる、ということが無いからである。もちろん、発光層５ｘは、スピーカー振動板５の透明基材の背面側だけでなく、凹面５ａの前面側に設けられていても良く、また、凹面５ａおよび/または凸面５ｂの任意の位置に形成されていてもよい。
【００４０】
なお、本実施例のスピーカー１では、透明な耐熱ガラスを基材とするスピーカー振動板５が、０．３ｍｍ〜１．２ｍｍの範囲でほぼ均一に薄く形成されているので、ＬＥＤ１２からの紫外光は、スピーカー振動板５の内部で反射をくり返す。この反射光は、ボイスコイルボビン２が取り付けられている部分に接着剤が塗布されている部分、あるいは、スピーカー振動板５の外周縁部５ｃ、等の規則正しい反射が妨げられる部分に当たると、散乱する結果、可視光を発光する。したがって、図５に示すように、発光層５ｘで形成したロゴによる発光意匠のみならず、スピーカー振動板５、あるいは、ボイスコイルボビン２等の部品の一部も発光するので、演出効果に優れたスピーカーを実現することができる。
【００４１】
耐熱ガラスの透明振動板部５ｓの厚みは、ブロー成形によって球殻の一部とすることでほぼ均一に薄く形成できるので、本実施例の耐熱ガラスのスピーカー振動板５を備えるスピーカー１は、従来の板ガラスの場合に、または、大きな厚みを有する並ガラスの場合に比べて高い再生音圧レベルを実現することができる。ただし、スピーカー振動板５は、耐熱ガラスに限らずに、珪砂、石灰、ソーダ灰などを主な原料とするソーダ石灰ガラス（並ガラス）であってもよい。また、スピーカー振動板５は、透明なアクリル樹脂の振動板であってもよい。並ガラス、あるいは、アクリル樹脂のスピーカー振動板５であっても、背面側が透視されるので、平均粒子径が１μｍ以下の蛍光顔料を含む発光層５ｘを形成する（好ましくは、振動板の背面側に形成する）ことで、発光意匠のオンオフ差が従来よりも著しく大きい演出効果に優れたスピーカーを実現することができる。
【００４２】
本実施例の照明駆動部２４およびスピーカー照明装置１０では、音声信号のダイナミックレンジを考慮して、より演出効果の高いＬＥＤ１２の発光量を設定できるが、もちろん、照明駆動部２４をさらに簡略化した構成とし、音声信号によらずに直流電流をＬＥＤ１２に与えて、定常的に発光させてもよい。また、ＬＥＤ１２は、紫外光を発光するブラックライトＬＥＤ、あるいは、ＵＶ−ＬＥＤであればよく、場合によっては、紫外光を発光するブラックライトランプであってもよい。
【００４３】
もちろん、スピーカー照明装置１０を含むスピーカー１は、アンプ内蔵サブウーファーにその適用が限定されるものではない。スピーカー１は、全帯域を再生するフルレンジスピーカーでも良く、場合によっては高域を再生するツィーターであっても良い。スピーカー照明装置１０は、ＬＥＤ１２を含んでいれば、他の磁気回路４の構成に適応する取付部材１１を備えていてもよい。
【産業上の利用可能性】
【００４４】
本発明のスピーカーは、様々な用途（家庭用、車載用）に用いられるスピーカーに好適に適用され得る。さらに、特に低周波数領域を再生するウーファー、または高周波数領域を再生するツィーター等、任意のスピーカーに適用され得る。また、本発明のスピーカー振動板は、スピーカーのみならず、振動板を備えるヘッドフォン、マイクロホンにも適用が可能である。
【図面の簡単な説明】
【００４５】
【図１】本発明の好ましい実施形態によるスピーカー１の概略断面図である。（実施例１）
【図２】本発明の好ましい実施形態による実施例のスピーカー１を、前面斜めから見た斜視図である。（実施例１）
【図３】本発明の好ましい実施形態によるスピーカーシステム２０について説明する図である。（実施例１）
【図４】照明駆動部２４の実施例を説明する図である。（実施例１）
【図５】本発明のスピーカーの透明なスピーカー振動板５を介して前面視される発光意匠を説明する図である。（実施例１）
【符号の説明】
【００４６】
１            スピーカー
２            ボイスコイルボビン
３            ボイスコイル
４            磁気回路
５            スピーカー振動板
５ｓ          透明振動板部
５ａ          凹面（前面）
５ｂ          凸面（背面）
５ｃ          外周縁部
６            エッジ
７            ダンパー
８            フレーム
９            カバー
１０            スピーカー照明装置
１１            取付部材
１２            ＬＥＤ
１３            信号線
１４            端子
１５            定電流ダイオード
１６            フォトカプラ
１７            保護ダイオード
２０            スピーカーシステム
２１            ヘッドユニット
２２            アンプ
２３            バッテリー
２４            照明駆動部
２５            キャビネット
【図１】
2010057092.tif 000003
【図３】
2010057092.tif 000004
【図４】
2010057092.tif 000005
【図２】
2010057092.tif 000006
【図５】
2010057092.tif 000007